(57)【要約】【課題】計測データを集計するためのパラメータを、過去および未来を含む任意のタイミングについて設定することができるデータロガーシステムを得る。【解決手段】計測されたプロセスデータを所定の周期で収集する計測データ収集部１１と、計測データ収集部１１で収集された計測データを、時系列に保存する計測データ保存ＤＢ１２と、計測データを集計するためのパラメータと、パラメータを有効にする期間を示す時系列情報とを併せて設定するパラメータ設定部１３と、パラメータに時系列情報を付加して保存するパラメータ保存ＤＢ１４と、計測データ保存ＤＢ１４に保存された計測データを、パラメータ保存ＤＢ１４に保存され、当該計測データの時系列に該当するパラメータに従って集計するデータ集計部１５とを備える。【選択図】図１
2012243192.tif 000002
【特許請求の範囲】
【請求項１】
計測されたプロセスデータを所定の周期で収集する計測データ収集部と、
前記計測データ収集部で収集された計測データを、時系列に保存する計測データ保存データベースと、
前記計測データを集計するためのパラメータと、前記パラメータを有効にする期間を示す時系列情報とを併せて設定するパラメータ設定部と、
前記パラメータに前記時系列情報を付加して保存するパラメータ保存データベースと、
前記計測データ保存データベースに保存された計測データを、前記パラメータ保存データベースに保存され、当該計測データの時系列に該当するパラメータに従って集計するデータ集計部と、
を備えたことを特徴とするデータロガーシステム。
【請求項２】
製品の生産量データを所定の周期で収集する生産量データ収集部と、
前記生産量データ収集部で収集された生産量データを、時系列に保存する生産量データ保存データベースと、
をさらに備えたことを特徴とする請求項１に記載のデータロガーシステム。
【請求項３】
前記計測データに係る按分情報と、前記按分情報を有効にする期間を示す期間情報とを併せて設定する按分情報設定部と、
前記按分情報に前記期間情報を付加して保存する按分情報保存データベースと、
をさらに備えたことを特徴とする請求項１または請求項２に記載のデータロガーシステム。
【請求項４】
計測されたプロセスデータを所定の周期で収集する計測データ収集ステップと、
前記計測データ収集ステップで収集された計測データを、時系列に保存する計測データ保存ステップと、
前記計測データを集計するためのパラメータと、前記パラメータを有効にする期間を示す時系列情報とを併せて設定するパラメータ設定ステップと、
前記パラメータに前記時系列情報を付加して保存するパラメータ保存ステップと、
前記計測データ保存ステップで保存された計測データを、前記パラメータ保存ステップで保存され、当該計測データの時系列に該当するパラメータに従って集計するデータ集計ステップと、
を備えたことを特徴とするデータロギング方法。
【発明の詳細な説明】
【技術分野】
【０００１】
この発明は、工場やビル等における各種プロセスデータ、例えば電力量、ガス流量、水量、温度、湿度、高度（レベル）、速度等をロギングするデータロガーシステムおよびデータロギング方法に関する。
【背景技術】
【０００２】
従来のデータロガーシステムは、加工処理情報および検定処理情報（ともに集計用のパラメータ）に基づいてプロセス信号を処理するデータ処理手段を通じて、データ処理内容の設定、変更を指示する会話型入出力装置を備えている（例えば、特許文献１参照）。このデータロガーシステムによれば、会話形式でパラメータを設定することができるので、プロセス毎にプログラムを開発する必要がなく、システム設計が容易となる。
【先行技術文献】
【特許文献】
【０００３】
【特許文献１】特開昭６１−２０８１９号公報
【発明の概要】
【発明が解決しようとする課題】
【０００４】
しかしながら、従来技術には、以下のような課題がある。
従来のデータロガーシステムにおいて、会話形式で設定されたパラメータは、設定された時点からシステムに反映される。また、従来のデータロガーシステムでは、計測されたデータそのものは、時系列に保存されるものの、計測データの各計測点に関するパラメータは、時系列情報を有していない。そのため、パラメータが設定された時点で、設定されたパラメータに従って、計測データが集計される。
【０００５】
したがって、従来のデータロガーシステムでは、パラメータを変更したいタイミングに合わせて、リアルタイムにパラメータを設定する必要がある。ここで、パラメータの設定は、人の手による作業なので、例えば未来のパラメータについて、「一週間後にパラメータをこのように設定したい」と考えていても、パラメータの設定を忘れる場合があるという問題がある。
【０００６】
また、過去のパラメータを変更したい場合には、一般的に、計測データを過去のパラメータに従って集計した集計データを操作することができないので、変更後のパラメータに合わせて、集計データを一日毎に手作業で修正する必要があるという問題がある。このとき、修正に要する作業量が、期間の日数に比例して膨大になるという問題もある。
【０００７】
この発明は、上記のような課題を解決するためになされたものであり、計測データを集計するためのパラメータを、過去および未来を含む任意のタイミングについて設定することができるデータロガーシステムおよびデータロギング方法を得ることを目的とする。
【課題を解決するための手段】
【０００８】
この発明に係るデータロガーシステムは、計測されたプロセスデータを所定の周期で収集する計測データ収集部と、計測データ収集部で収集された計測データを、時系列に保存する計測データ保存データベースと、計測データを集計するためのパラメータと、パラメータを有効にする期間を示す時系列情報とを併せて設定するパラメータ設定部と、パラメータに時系列情報を付加して保存するパラメータ保存データベースと、計測データ保存データベースに保存された計測データを、パラメータ保存データベースに保存され、当該計測データの時系列に該当するパラメータに従って集計するデータ集計部とを備えたものである。
【０００９】
また、この発明に係るデータロギング方法は、計測されたプロセスデータを所定の周期で収集する計測データ収集ステップと、計測データ収集ステップで収集された計測データを、時系列に保存する計測データ保存ステップと、計測データを集計するためのパラメータと、パラメータを有効にする期間を示す時系列情報とを併せて設定するパラメータ設定ステップと、パラメータに時系列情報を付加して保存するパラメータ保存ステップと、計測データ保存ステップで保存された計測データを、パラメータ保存ステップで保存され、当該計測データの時系列に該当するパラメータに従って集計するデータ集計ステップとを備えたものである。
【発明の効果】
【００１０】
この発明に係るデータロガーシステムおよびデータロギング方法によれば、パラメータ設定部（ステップ）は、計測データを集計するためのパラメータと、パラメータを有効にする期間を示す時系列情報とを併せて設定し、パラメータ保存データベース（ステップ）は、パラメータに時系列情報を付加して保存し、データ集計部（ステップ）は、計測データ保存データベース（ステップ）に保存された計測データを、パラメータ保存データベース（ステップ）に保存され、当該計測データの時系列に該当するパラメータに従って集計する。
そのため、計測データを集計するためのパラメータを、過去および未来を含む任意のタイミングについて設定することができる。
【図面の簡単な説明】
【００１１】
【図１】この発明の実施の形態１に係るデータロガーシステムを周辺機器とともに示すブロック構成図である。
【図２】この発明の実施の形態１に係るデータロガーシステムの動作を示す説明図である。
【図３】この発明の実施の形態２に係るデータロガーシステムを周辺機器とともに示すブロック構成図である。
【図４】この発明の実施の形態２に係るデータロガーシステムの動作を示す説明図である。
【図５】この発明の実施の形態３に係るデータロガーシステムを周辺機器とともに示すブロック構成図である。
【図６】この発明の実施の形態３に係るデータロガーシステムの動作を示す説明図である。
【発明を実施するための形態】
【００１２】
以下、この発明に係るデータロガーシステムの好適な実施の形態につき図面を用いて説明するが、各図において同一、または相当する部分については、同一符号を付して説明する。
【００１３】
実施の形態１．
図１は、この発明の実施の形態１に係るデータロガーシステム１０を、周辺機器（計測部２０、設定入力部３０および表示部４０）とともに示すブロック構成図である。図１において、データロガーシステム１０は、計測データ収集部１１、計測データ保存ＤＢ（データベース）１２、パラメータ設定部１３、パラメータ保存ＤＢ（データベース）１４およびデータ集計部１５を備えている。
【００１４】
以下、データロガーシステム１０の機能について説明する。
計測データ収集部１１は、センサ等の計測部２０によって計測された工場やビル等（図示せず）における各種プロセスデータを所定の周期で収集する。ここで、プロセスデータは、例えば電力量、ガス流量、水量、温度、湿度、高度（レベル）、速度等を含んでいる。計測データ保存ＤＢ１２は、計測データ収集部１１で収集された計測データを、時系列に保存する。
【００１５】
パラメータ設定部１３は、計測データを集計するためのパラメータと、パラメータを有効にする期間を示す時系列情報とを併せて設定する。パラメータおよび時系列情報は、例えばキーボード等の入力装置を含む設定入力部３０から入力される。パラメータ保存ＤＢ１４は、パラメータ設定部１３により設定されたパラメータに時系列情報を付加して保存する。
【００１６】
データ集計部１５は、計測データ保存ＤＢ１２に保存された計測データを、パラメータ保存ＤＢ１４に保存され、当該計測データの時系列に該当するパラメータに従って集計する。データ集計部１５は、集計データをディスプレイ等の表示部４０に出力し、表示部４０は、集計データを表示する。なお、設定入力部３０と表示部４０とは、例えばタッチパネル式のディスプレイとして一体化されていてもよい。
【００１７】
続いて、図１とともに、図２を参照しながら、上記構成のデータロガーシステム１０の動作について説明する。図２は、この発明の実施の形態１に係るデータロガーシステム１０の動作を示す説明図である。
【００１８】
計測データ保存ＤＢ１２は、計測データ収集部１１により所定の周期で収集された各計測点の計測データを、日時データと合わせて１レコードとして保存する。パラメータ保存ＤＢ１４は、パラメータ設定部１３により計測データ毎に設定された、信号名称（データ項目）、単位、レンジ等のパラメータと、そのパラメータを有効にする期間を示す時系列情報とを、１レコードとして保存する。
【００１９】
データ集計部１５は、データ項目および日時をキーとして、計測データ保存ＤＢ１２に保存された計測データに対して、パラメータ保存ＤＢ１４に保存され、指定された日時に該当するパラメータを用いた紐付け処理を実行し、集計データを生成する。表示部４０は、集計データを、例えば棒グラフ等で表示する。
【００２０】
ここで、過去のパラメータを変更する場合には、パラメータの設定を行う際に、そのパラメータの設定を有効にする期間を指定することにより、過去のパラメータを変更することができる。すなわち、過去のパラメータの変更は、期間の日数に影響されることなく、瞬時に処理することができる。
【００２１】
また、このとき、未来の期間を指定することにより、パラメータを変更したいタイミングまで待つことなく、事前に未来のパラメータを設定することができる。これにより、過去のパラメータの変更による作業量の増大やそれに伴う作業ミス、および未来のパラメータの設定漏れを防止することができ、信頼性の高い集計データを得ることができる。
【００２２】
以上のように、実施の形態１によれば、パラメータ設定部は、計測データを集計するためのパラメータと、パラメータを有効にする期間を示す時系列情報とを併せて設定し、パラメータ保存データベースは、パラメータに時系列情報を付加して保存し、データ集計部は、計測データ保存データベースに保存された計測データを、パラメータ保存データベースに保存され、当該計測データの時系列に該当するパラメータに従って集計する。
そのため、計測データを集計するためのパラメータを、過去および未来を含む任意のタイミングについて設定することができる。
【００２３】
実施の形態２．
上記実施の形態１では、計測データ保存ＤＢ１２に保存された計測データに対して、パラメータ保存ＤＢ１４に保存され、時系列情報を有するパラメータを用いた紐付け処理を実行する場合について説明した。この実施の形態２では、さらに生産量データに対しても紐付け処理を実行する場合について説明する。
【００２４】
図３は、この発明の実施の形態２に係るデータロガーシステム１０Ａを、周辺機器とともに示すブロック構成図である。図３において、データロガーシステム１０Ａは、実施の形態１のデータロガーシステム１０に加えて、生産量データ収集部１６および生産量データ保存ＤＢ（データベース）１７を備えている。また、データロガーシステム１０Ａは、図１に示したデータ集計部１５に代えて、データ集計部１５Ａを備えている。
【００２５】
以下、データロガーシステム１０Ａの機能について説明する。
生産量データ収集部１６は、外部から入力される製品の生産量データを所定の周期で収集する。生産量データ保存ＤＢ１７は、生産量データ収集部１６で収集された生産量データを、時系列に保存する。
【００２６】
データ集計部１５Ａは、計測データ保存ＤＢ１２に保存された計測データおよび生産量データ保存ＤＢ１７に保存された生産量データを、パラメータ保存ＤＢ１４に保存され、当該計測データの時系列に該当するパラメータに従って集計する。なお、その他の構成および機能は、上述した実施の形態１と同様なので、説明を省略する。
【００２７】
続いて、図３とともに、図４を参照しながら、上記構成のデータロガーシステム１０Ａの動作について説明する。図４は、この発明の実施の形態２に係るデータロガーシステム１０Ａの動作を示す説明図である。また、上記実施の形態１と同様の動作については、説明を省略する。
【００２８】
生産量データ保存ＤＢ１７は、計測データ保存ＤＢ１２と同様に、生産量データ収集部１６により所定の周期で収集された完成品の生産量データを、日時データと合わせて１レコードとして保存する。
【００２９】
データ集計部１５Ａは、データ項目および日時をキーとして、計測データ保存ＤＢ１２に保存された計測データおよび生産量データ保存ＤＢ１７に保存された生産量データに対して、パラメータ保存ＤＢ１４に保存され、指定された日時に該当するパラメータを用いた紐付け処理を実行し、集計データを生成する。
【００３０】
このように、計測データだけでなく、生産量データについても、時系列情報を有するパラメータを用いた紐付け処理を実行することで、ある一定期間内に製造した製品の生産量と関係性のあるプロセスデータ（例えば、エネルギーの使用量）を割り出すことができる。さらに、その一定期間内に製造した製品の生産量データとプロセスデータとから、製品１個あたりに要するプロセス量を管理（例えば、原単位管理）することができる。
【００３１】
以上のように、実施の形態２によれば、生産量データ収集部は、製品の生産量データを所定の周期で収集し、生産量データ保存データベースは、生産量データ収集部で収集された生産量データを、時系列に保存する。
そのため、実施の形態１と同様の効果を得ることができるとともに、プロセスデータと生産量データとを一元管理し、システムにより自動で原単位管理することができる。
【００３２】
実施の形態３．
上記実施の形態１では、計測データ保存ＤＢ１２に保存された計測データに対して、パラメータ保存ＤＢ１４に保存され、時系列情報を有するパラメータを用いた紐付け処理を実行する場合について説明した。この実施の形態３では、さらに按分情報に対しても紐付け処理を実行する場合について説明する。
【００３３】
図５は、この発明の実施の形態３に係るデータロガーシステム１０Ｂを、周辺機器とともに示すブロック構成図である。図５において、データロガーシステム１０Ｂは、実施の形態１のデータロガーシステム１０に加えて、按分情報設定部１８および按分情報保存ＤＢ（データベース）１９を備えている。また、データロガーシステム１０Ｂは、図１に示したデータ集計部１５に代えて、データ集計部１５Ｂを備えている。
【００３４】
以下、データロガーシステム１０Ａの機能について説明する。
按分情報設定部１８は、計測データに係る按分情報と、按分情報を有効にする期間を示す期間情報とを併せて設定する。按分情報および期間情報は、設定入力部３０から入力される。按分情報保存ＤＢ１９は、按分情報設定部１８により設定された按分情報に期間情報を付加して保存する。
【００３５】
ここで、按分情報は、プロセスデータを例えば部署単位でグルーピングして集計するためのパラメータであり、計測データ１項目に対してフロア情報（占有面積）や部署情報（部署の人数）等が設定されることにより求められる按分比率や演算式を含んでいる。
【００３６】
データ集計部１５Ｂは、計測データ保存ＤＢ１２に保存された計測データおよび按分情報保存ＤＢ１９に保存された按分情報を、パラメータ保存ＤＢ１４に保存され、当該計測データの時系列に該当するパラメータに従って集計する。なお、その他の構成および機能は、上述した実施の形態１と同様なので、説明を省略する。
【００３７】
続いて、図５とともに、図６を参照しながら、上記構成のデータロガーシステム１０Ｂの動作について説明する。図６は、この発明の実施の形態３に係るデータロガーシステム１０Ｂの動作を示す説明図である。また、上記実施の形態１と同様の動作については、説明を省略する。
【００３８】
按分情報保存ＤＢ１９は、按分情報設定部１８により計測データ毎に設定された按分情報（按分比率、演算式）と、その按分情報を有効にする期間を示す期間情報とを、１レコードとして保存する。
【００３９】
データ集計部１５Ｂは、データ項目および日時をキーとして、計測データ保存ＤＢ１２に保存された計測データおよび按分情報保存ＤＢ１９に保存された按分情報に対して、パラメータ保存ＤＢ１４に保存され、指定された日時に該当するパラメータを用いた紐付け処理を実行し、集計データを生成する。
【００４０】
ここで、この発明の実施の形態３に係るデータロガーシステム１０Ｂに、上述した実施の形態２に示した生産量データ収集部１６および生産量データ保存ＤＢ１７を組み合わせ、計測データ、生産量データおよび按分情報に対して、時系列情報を有するパラメータを用いた紐付け処理を実行することにより、プロセス量を按分して集計することができる。そのため、実計測できない範囲や用途のプロセス量（例えば、エネルギーの使用量）を按分算出することができる。
【００４１】
また、按分情報は、期間情報を含むデータとして保存されるので、例えば突発的な組織の再編やフロアレイアウトの変更が発生した場合でも、過去に遡って按分情報を設定することができる。また、将来の組織変更やフロアレイアウトの変更に備えて、あらかじめ未来の按分情報を設定しておくことができる。そのため、按分情報の設定漏れを防止することができ、組織の再編やフロアレイアウトの実体に即した正確なプロセス量を算出することができる。
【００４２】
以上のように、実施の形態３によれば、按分情報設定部は、計測データに係る按分情報と、按分情報を有効にする期間を示す期間情報とを併せて設定し、按分情報保存データベースは、按分情報に期間情報を付加して保存する。
そのため、計測データに係る按分情報を、任意のタイミングで設定することができる。
【符号の説明】
【００４３】
１０、１０Ａ、１０Ｂ  データロガーシステム、１１  計測データ収集部、１２  計測データ保存ＤＢ、１３  パラメータ設定部、１４  パラメータ保存ＤＢ、１５、１５Ａ、１５Ｂ  データ集計部、１６  生産量データ収集部、１７  生産量データ保存ＤＢ、１８  按分情報設定部、１９  按分情報保存ＤＢ。
【図１】
2012243192.tif 000003
【図２】
2012243192.tif 000004
【図３】
2012243192.tif 000005
【図４】
2012243192.tif 000006
【図５】
2012243192.tif 000007
【図６】
2012243192.tif 000008